(57)【要約】【課題】省電力状態の解除条件を最適化して、消費電力の低減を図ることのできる画像形成装置を提供する。【解決手段】省電力状態中にジョブを受け付けると、ジョブ判断手段１０３はジョブを解析し、このジョブがＣＰＵを低速動作させた省電力状態で実行可能なジョブであるか否かを判断する。省電力状態で実行可能なジョブであれば、省電力状態を解除することなくジョブを実行する。また、省電力状態で実行できないジョブであるときは、用紙切れなどでそのジョブを実行できない機械状態にあるか否かを機械状態判断手段１０４が判断する。ジョブを実行できる機械状態であれば、省電力状態を解除してジョブを実行し、ジョブを実行できない機械状態であれば、省電力状態を維持する。【選択図】図１
2005335255.tif 000002
【特許請求の範囲】
【請求項１】
省電力状態中にジョブの依頼を受け付ける受付手段と、
省電力状態中に前記受付手段の受け付けたジョブが省電力状態で実行可能なジョブか否かを判断するジョブ判断手段と、
前記ジョブ判断手段の判断結果が省電力状態での実行可能を示すとき前記ジョブを省電力状態で実行するジョブ実行手段と
を有する
ことを特徴とする画像形成装置。
【請求項２】
省電力状態中にジョブの依頼を受け付ける受付手段と、
当該画像形成装置の機械状態が、省電力状態中に前記受付手段の受け付けたジョブを実行可能な状態にあるか否かを判断する機械状態判断手段と、
前記機械状態判断手段の判断結果がジョブの実行不可を示すとき省電力状態を維持する省電力状態手段と
を有する
ことを特徴とする画像形成装置。
【請求項３】
省電力状態中にジョブの依頼を受け付ける受付手段と、
省電力状態中に前記受付手段の受け付けたジョブが省電力状態で実行可能なジョブか否かを判断するジョブ判断手段と、
前記ジョブ判断手段の判断結果が省電力状態での実行不可を示したとき、当該画像形成装置の機械状態がそのジョブを実行可能な状態にあるか否かを判断する機械状態判断手段と、
前記機械状態判断手段の判断結果が実行不可を示すとき省電力状態を維持する省電力状態手段と
を有する
ことを特徴とする画像形成装置。
【請求項４】
前記ジョブ判断手段は、前記受付手段の受け付けたジョブが即時に印刷するべき印刷ジョブのときそのジョブを省電力状態で実行できないジョブと判断する
ことを特徴とする請求項１または３に記載の画像形成装置。
【請求項５】
前記機械状態判断手段の判断結果がジョブの実行不可を示すとき前記受付手段で受け付けたジョブを後で実行可能なように登録するジョブ登録手段を有する
ことを特徴とする請求項２または３に記載の画像形成装置。
【請求項６】
前記ジョブ登録手段に登録されたジョブを実行可能な機械状態に当該画像形成装置がなったときそのジョブを実行する
ことを特徴とする請求項２、３または５に記載の画像形成装置。
【請求項７】
省電力状態は、当該画像形成装置の有するＣＰＵを通常動作時よりも低速に動作させる状態である
ことを特徴とする請求項１、２、３、４、５または６に記載の画像形成装置。
【発明の詳細な説明】
【技術分野】
【０００１】
本発明は、省電力モードを備えた複写機や複合機などの画像形成装置に関する。
【背景技術】
【０００２】
近年の環境問題などから、待機状態において消費電力を少なく抑えた省電力モードに移行する機能を備えた複写機や複合機などの画像形成装置が一般的になりつつある。
【０００３】
たとえば、待機状態が一定時間以上継続したとき省電力モードに移行するものがある。また、待機状態になったとき直ちに省電力モードに移行することにより、更なる消費電力の低減を図った画像形成装置が開示されている（たとえば、特許文献１参照。）。
【０００４】
この装置では、省電力モード中にジョブの到着を検知すると直ちに省電力モードを解除してそのジョブを実行するとともに、そのジョブの終了を契機に省電力モードに移行するようになっている。
【０００５】
ところで、省電力モードには、動作周波数の低減によってＣＰＵを低速に動作させること、部分的な電力ＯＦＦなどがある。
【０００６】
【特許文献１】特開２００３−５４０７３号公報
【発明の開示】
【発明が解決しようとする課題】
【０００７】
上記の画像形成装置では、省電力モード中に実行可能なジョブであるか否か、用紙切れや用紙ジャムなどの印刷ジョブを実行できない機械状態であるか否かなどにかかわらず、ジョブの到着を検知すると直ちに省電力モードを解除するので、消費電力の低減効果を充分に得ることができなかった。
【０００８】
また、ジョブの終了を省電力モードに移行するための条件にしているので、用紙切れなどにより印刷できない状態で印刷ジョブを受け付けると、このジョブが終了せず、省電力モードが解除されたままの状態になってしまう。
【０００９】
仮に、受け付けたジョブが実行不可で終了しないときに、ジョブの受け付けから一定時間経過後に省電力モードに戻す機能を備えていたとしても、ジョブを受け付けるたびに省電力モードが解除されてしまうので、頻繁にジョブを受け付けると、省電力モードに戻ることなく省電力モードの解除された状態が長期間続いてしまうという問題があった。
【００１０】
本発明は上記の問題を解決しようとするものであり、省電力モードの解除条件を最適化して、消費電力の低減を図ることのできる画像形成装置を提供することを目的とする。
【課題を解決するための手段】
【００１１】
請求項１に係わる発明は、省電力状態中にジョブの依頼を受け付ける受付手段（３１、５２）と、
省電力状態中に前記受付手段（３１、５２）の受け付けたジョブが省電力状態で実行可能なジョブか否かを判断するジョブ判断手段（１０３）と、
前記ジョブ判断手段（１０３）の判断結果が省電力状態での実行可能を示すとき前記ジョブを省電力状態で実行するジョブ実行手段と
を有する
ことを特徴とする画像形成装置である。
【００１２】
上記発明によれば、省電力状態中にジョブを受け付けると、そのジョブが省電力状態で実行可能か否かを判断し、実行可能であれば省電力状態のままでジョブを実行する。
【００１３】
ジョブとは、画像形成装置に作業を依頼する際の依頼単位となるひとかたまりの作業である。たとえば、「複数枚の原稿を複数部コピーする」、「読み取った原稿を複数の宛先に配信する」なども１つのジョブになる。
【００１４】
ここでの省電力状態は、ＣＰＵの処理速度を通常よりも低速に動作させた状態をいう。ジョブには、省電力状態において実行可能なジョブとリアルタイム処理が要求されＣＰＵの処理速度が通常でなければ実行できないジョブとがある。たとえば、印刷動作を伴うジョブなどは、ＣＰＵに所定以上の処理速度が要求されるので省電力状態では実行することができない。
【００１５】
一方、印刷動作をすぐに要求しないジョブや機械の状態を問い合わせるだけのジョブなどは、ＣＰＵの処理量が少ないので省電力状態で実行することができる。このように省電力状態で実行可能か否かを基準にジョブを区別して扱うことで、省電力状態の解除条件を最適化することが可能になる。
【００１６】
受付手段（３１、５２）は、省電力状態でジョブを受け付け可能なものであればよい。たとえば、遠隔から送信されたジョブを受信する外部インターフェイスや、ユーザがジョブを直接依頼する操作パネルなどがある。
【００１７】
請求項２に係わる発明は、省電力状態中にジョブの依頼を受け付ける受付手段（３１、５２）と、
当該画像形成装置の機械状態が、省電力状態中に前記受付手段（３１、５２）の受け付けたジョブを実行可能な状態にあるか否かを判断する機械状態判断手段（１０４）と、
前記機械状態判断手段（１０４）の判断結果がジョブの実行不可を示すとき省電力状態を維持する省電力状態手段と
を有する
ことを特徴とする画像形成装置である。
【００１８】
上記発明によれば、省電力状態中にジョブを受け付けると、そのジョブを実行できる機械状態であるか否かを判断し、実行できない状態のときは省電力状態を解除せずに省電力状態が維持される。
【００１９】
受け付けたジョブを実行できない機械状態には、たとえば用紙切れや用紙ジャム、排紙トレイフルなどがある。
【００２０】
請求項３に係わる発明は、省電力状態中にジョブの依頼を受け付ける受付手段（３１、５２）と、
省電力状態中に前記受付手段（３１、５２）の受け付けたジョブが省電力状態で実行可能なジョブか否かを判断するジョブ判断手段（１０３）と、
前記ジョブ判断手段（１０３）の判断結果が省電力状態での実行不可を示したとき、当該画像形成装置の機械状態がそのジョブを実行可能な状態にあるか否かを判断する機械状態判断手段（１０４）と、
前記機械状態判断手段（１０４）の判断結果が実行不可を示すとき省電力状態を維持する省電力状態手段と
を有する
ことを特徴とする画像形成装置である。
【００２１】
上記発明によれば、省電力状態中に受け付けたジョブが省電力状態で実行できないジョブのとき、省電力状態を直ちに解除することなく、そのジョブを実行できる機械状態にあるか否かを判断し、実行不可のときは省電力状態が維持される。
【００２２】
請求項４に係わる発明は、前記ジョブ判断手段（１０３）は、前記受付手段（３１、５２）の受け付けたジョブが即時に印刷するべき印刷ジョブのときそのジョブを省電力状態で実行できないジョブと判断する
ことを特徴とする請求項１または３に記載の画像形成装置である。
【００２３】
上記発明によれば、即時に印刷するべき印刷ジョブはその実行にＣＰＵの高速処理が要求されるので、省電力状態では実行できないジョブと判断する。
【００２４】
請求項５に係わる発明は、前記機械状態判断手段（１０４）の判断結果がジョブの実行不可を示すとき前記受付手段（３１、５２）で受け付けたジョブを後で実行可能なように登録するジョブ登録手段を有する
ことを特徴とする請求項２または３に記載の画像形成装置である。
【００２５】
上記発明によれば、受け付けたジョブを実行できない機械状態にあるとき、後でそのジョブを実行できるように各種の情報が登録される。
【００２６】
ジョブを実行できない機械状態でも、ジョブの受け付けは可能なので、受け付けたジョブを登録しておくことで、そのジョブを後で実行することが可能になる。
【００２７】
ここでは、ジョブを後で実行する時期を特に限定するものではない。たとえば、機械状態がジョブを実行できる状態に復旧した後の任意の時期でかまわない。
【００２８】
ジョブ登録手段は、ジョブの実行に必要なすべての情報を登録する。また、ジョブ登録手段は不揮発性の記憶装置であることが好ましい。
【００２９】
請求項６に係わる発明は、前記ジョブ登録手段に登録されたジョブを実行可能な機械状態に当該画像形成装置がなったときそのジョブを実行する
ことを特徴とする請求項２、３または５に記載の画像形成装置である。
【００３０】
上記発明によれば、実行できずに登録されたジョブは、機械状態がそのジョブを実行可能な状態に復旧したとき実行される。
【００３１】
請求項７に係わる発明は、省電力状態は、当該画像形成装置の有するＣＰＵを通常動作時よりも低速に動作させる状態である
ことを特徴とする請求項１、２、３、４、５または６に記載の画像形成装置である。
【００３２】
上記発明によれば、ＣＰＵを停止させることなく消費電力が低減される。
【発明の効果】
【００３３】
本発明に係わる画像形成装置によれば、省電力状態中に受け付けたジョブが省電力状態で実行可能な場合には、省電力状態のままでそのジョブを実行するので、省電力状態の解除される場合が少なくなり消費電力を軽減することができる。
【００３４】
省電力状態中に受け付けたジョブがその時点の機械状態で実行可能なジョブか否かを判断し、実行不可の場合に省電力状態を維持するものでは、実行できないジョブのために省電力状態が解除されないので、不要な電力消費を回避することができる。
【００３５】
省電力状態で実行可能な種類のジョブを受け付けたとき、そのジョブを実行可能な機械状態であるか否かを省電力状態のままで調べるものでは、省電力状態を解除してから機械状態を調べる場合に比べて、そのジョブを実行できない場合に省電力状態が無駄に解除されなくなり、電力消費を軽減することができる。
【発明を実施するための最良の形態】
【００３６】
以下、図面に基づき本発明の実施の形態を説明する。
【００３７】
図２は、本発明に係わる画像形成装置１０の断面構成を示している。画像形成装置１０は、原稿を読み取りその複製画像を転写紙上に形成するコピー機能や、パーソナルコンピュータなどの装置から印刷データを受信し、対応する画像を転写紙上に形成して出力するプリンタ機能などを備えた、いわゆるデジタル複合機と称される装置である。
【００３８】
画像形成装置１０は、自動原稿送り装置２０と、読取部３０と、プリンタ部４０と、後処理装置９０とから構成される。また、主要な回路として制御部５０を備えている。
【００３９】
自動原稿送り装置２０は、原稿載置トレイ２１に積載された原稿２を１枚ずつ読取部３０の読取箇所に送り込む機能を果たす。また両面原稿については、片面読み取り後、表裏を反転して再び読取部３０へ送り込む機能を備えている。
【００４０】
読取部３０は、自動原稿送り装置２０によって送り込まれた原稿を読み取って対応する画像データを出力する機能を果たす。また、読取部３０は、原稿の幅を監視するセンサや原稿詰まりを監視するセンサなどを備えている。
【００４１】
プリンタ部４０は、画像データに応じた画像を電子写真プロセスによって転写紙上に形成する機能を備えている。プリンタ部４０は、画像データに応じてＯＮ／ＯＦＦするレーザー光を出力するレーザーユニット４２を有している。また、表面に静電潜像が形成される感光体４３と、その周囲に配置された帯電装置４４と、現像装置４５と、転写装置４６と、分離装置４７と、クリーニング装置４８と、図示省略の各種センサと、プリンタ制御部６０とを備えている。
【００４２】
感光体４３は、円筒形状をなすとともに、図示省略の駆動部によって一定方向（図中の矢印Ａ方向）に回転される。帯電装置４４は、感光体４３をコロナ放電によって一様に帯電させる機能を果たす。このように一様に帯電された感光体４３の表面を画像データに応じてＯＮ／ＯＦＦするレーザー光で走査することで、感光体４３の表面に静電潜像が形成される。現像装置４５は、感光体４３の表面に形成された静電潜像をトナー像として顕像化する機能を果たす。
【００４３】
転写装置４６は、電界を与えることで感光体表面のトナー像を転写紙に静電的に転写する機能を果たし、分離装置４７は、除電により感光体４３から転写紙を分離する機能を果たす。クリーニング装置４８は、転写後に感光体４３上に残ったトナーをブレード等で擦って除去し回収する機能を果たす。
【００４４】
各種センサには、用紙切れや用紙ジャムなどの障害が発生したことを示す信号を出力するセンサや、プリンタ部４０の機内の温度や各種状態を表わす信号を出力するセンサなどがある。
【００４５】
プリンタ制御部６０は、プリンタ部４０の動作を制御する機能を果たす。またプリンタ制御部６０は、各種センサの出力信号に基づいてプリンタ４０の機械状態を監視し、その情報を制御部５０に通知する機能を果たす。
【００４６】
給紙部７０は、複数の給紙カセット７１を有する。これらには、通常、サイズや紙種の異なる転写紙が収容される。第１給紙ローラ７２は、給紙カセット７１に収容された転写紙を最上部から１枚ずつ搬送部８０に向けて送り出す機能を果たす。
【００４７】
後処理装置９０は、印刷物をステイプルで綴じたり印刷物にパンチ穴を開けたりする機能を果たす。
【００４８】
図１は、画像形成装置１０の電気的構成を示している。画像形成装置１０は、当該装置の動作を統括制御する制御部５０を備えている。制御部５０は、ＣＰＵ（中央処理装置）５１とＲＯＭ（リード・オンリ・メモリ）５３とＲＡＭ（ランダム・アクセス・メモリ）５４を主要部とする回路で構成されている。
【００４９】
画像形成装置１０は、動作状態として、通常状態とこれよりも電力消費を少なくした省電力状態とを備えている。省電力状態中は、表示操作部３１が無表示となるとともに読取部３０やプリンタ部４０が休止状態になる。また制御部５０のＣＰＵ５１は、ＣＰＵ５１の処理速度を通常よりも低速に動作させた状態になる。
【００５０】
ＲＯＭ５３は、ＣＰＵ５１が実行するプログラムや各種固定データを記憶している。ＲＡＭ５４は、ＣＰＵ５１がプログラムを実行する際に各種データを一時的に格納するワークメモリや、回転処理などを施すために画像データを少なくとも１ページ分格納するページメモリとして機能する。
【００５１】
さらに、ＣＰＵ５１にはバスを通じて外部インターフェイス５２、ジョブデータ記憶部５５、機械状態記憶部５６、ビデオインターフェイス５７、読取部３０、表示操作部３１、プリンタ部４０が接続されている。
【００５２】
外部インターフェイス５２は、電話回線や各種のネットワークと接続して通信する機能を果たす。また外部インターフェイス５２は、パーソナルコンピュータなどの外部装置４から送信されるジョブを、ネットワーク３を介して受け付ける受付手段としての機能を果たす。
【００５３】
ここでジョブとは、画像形成装置１０に作業を依頼する際の依頼単位となるひとかたまりの作業である。ジョブには、省電力状態において実行可能なジョブとＣＰＵの処理速度が通常でなければ実行できないジョブとがある。たとえば、印刷動作を伴うジョブなどは、ＣＰＵに所定以上の処理速度が要求されるので省電力状態では実行することができない。
【００５４】
一方、親展印刷ジョブやタイマ指定印刷ジョブ、ボックス印刷ジョブなどの印刷動作をすぐに要求しないジョブや、ＭａｃＱｕｅｒｙ／ＰＪＬＳｔａｔｕｓＲｅａｄｂａｃｋ応答などの機械の状態を問い合わせるだけのジョブは、ＣＰＵの処理量が少ないので省電力状態で実行することができる。
【００５５】
親展印刷は、機密文書などの機密性の高い文書を印刷する際、パスワードを設定して記憶装置などに一旦印刷データを格納しておき、後に操作パネルから正しいパスワードを入力しなければ印刷が実行されないようにした印刷機能である。タイマ指定印刷は、指定された時刻になると印刷を実行する印刷機能である。ボックス印刷は、印刷データを保存するボックスを設け、このボックスに印刷データを保存し、後に操作パネルなどから操作することでボックス内の印刷データを印刷出力する機能である。ボックスから印刷データを消去しない限り何度でも印刷することが可能である。
【００５６】
ジョブデータ記憶部５５は、ジョブの実行に必要なすべての情報を記憶するようになっている。ここでは、不揮発メモリを使用している。不揮発メモリは、電源ＯＦＦ後にも記憶内容が保持される書き換え可能なメモリである。
【００５７】
ジョブデータ記憶部５５に記憶するジョブには、ジョブを実行できない機械状態であるときに受け付けたジョブ（待機ジョブ）や、受け付け後すぐの実行が要求されていないジョブ（格納ジョブ）などがある。たとえば、親展印刷やタイマ指定印刷、ボックス印刷などを記憶するようになっている。
【００５８】
機械状態記憶部５６は、プリンタ制御部６０から通知されるプリンタ部４０の機械状態についての情報を記憶する機能を果たす。この機械状態についての情報は、画像形成装置１０の初期時に記憶し、その後は機械状態に変化がある毎に記憶するようにするとよい。ここでは、機械状態記憶部５６に不揮発メモリを使用している。
【００５９】
ビデオインターフェイス５７は、画像データをプリンタ部４０へシリアル転送する機能を果たす。表示操作部３１は、表面にタッチパネルを備えた液晶ディスプレイと各種の操作スイッチとから構成され、ユーザに各種の案内表示や状態表示を行なったり、ユーザから各種の操作を受け付けたりする機能を有する。また表示操作部３１は、ジョブを受け付ける受付手段としての機能を果たす。
【００６０】
ＣＰＵ５１は、ジョブ管理手段１０１と、画像変換部１０２と、ジョブ判断手段１０３と、機械状態判断手段１０４と、省電力状態切替制御手段１０５と、登録制御手段１０６としての機能を果たす。
【００６１】
ジョブ管理手段１０１は、ジョブ判断手段１０３や機械状態判断手段１０４、プリンタ部４０、外部インターフェイス５２、さらには画像データの流れなどを制御して各種ジョブの実行を制御する機能を果たす。
【００６２】
画像変換部１０２は、パーソナルコンピュータなどの外部装置４から送信されるプリンタ記述言語（ＰＤＬ）で表現された印刷データを受信し、これをビットマップイメージに展開する機能を果たす。プリンタ記述言語には、ポストスクリプトやＰＣＬ（Printer Control Language）などがある。
【００６３】
ジョブ判断手段１０３は、受け付けたジョブを解析してそのジョブが省電力状態で実行可能なジョブか否かを判断する機能を果たす。たとえばジョブは、図３に示すようなプリンタ記述言語の1つであるＰＣＬで記述される。ここで、ジョブ判断手段１０３は、ＰＣＬで記載されたジョブのヘッダ情報を解析することにより、省電力状態で実行可能なジョブか否かを判断するようになっている。
【００６４】
機械状態判断手段１０４は、機械状態記憶部５６に記憶されている情報に基づき、ジョブを実行可能な機械状態であるか否かを判断する機能を果たす。
【００６５】
ジョブを実行できない機械状態には、たとえば用紙切れや用紙ジャム、排紙トレイフルなどがある。
【００６６】
省電力状態切替制御手段１０５は、省電力状態への移行とその解除とを行なう機能を果たす。ジョブ判断手段１０３が省電力状態で実行不可なジョブとの判断を示すと省電力状態を解除し、そのジョブが終了すると省電力状態に移行させる機能を果たす。また、機械状態判断手段１０４がジョブを実行できる機械状態であるとの判断を示すと省電力状態を解除し、ジョブが終了すると省電力状態に移行させる機能を果たす。
【００６７】
登録制御手段１０６は、機械状態が原因で実行できないジョブや、受け付け後すぐの実行が要求されていないジョブなどをジョブデータ記憶部５５に登録する機能を果たす。
【００６８】
図３は、プリンタ記述言語の１つであるＰＣＬで記述されたジョブの一例を示している。ジョブは、ジョブの設定情報を記述するヘッダ情報と実際の画像データを描画するための画像情報とに分けられて記述されている。
【００６９】
ヘッダ情報は、ＰＪＬ(Printer Job Language)ＳＥＴコマンドで記述されている。ヘッダ情報には、印刷部数指定や両面印刷指定などのジョブ設定情報が記述されている。また、ヘッダ情報には親展印刷であることやタイマ指定印刷であることなどが記述されている。このヘッダ情報を解析することで、ジョブ判断手段１０３は省電力状態で実行可能なジョブか否かを判断するようになっている。
【００７０】
図４は、省電力状態中にジョブを受け付けた際の動作の一例を示している。画像形成装置１０に電源を入れると初期化処理が開始される（ステップＳ１０１）。初期化処理は、ＲＯＭ５３に格納されているプログラムをＲＡＭ５４上に読み出して行なわれる。
【００７１】
初期化処理が終了し、待機状態から一定時間以上経過すると、電力消費を抑えた省電力状態に移行する（ステップＳ１０２）。ジョブの依頼を受け付けると（ステップＳ１０３；Ｙ）、ジョブ判断手段１０３は図３に例示したようなジョブの設定情報を解析し、このジョブが省電力状態で実行可能なジョブであるか否かを判断する（ステップＳ１０４）。
【００７２】
ジョブは、パーソナルコンピュータなどの外部装置４からネットワーク３を介して送信され、このジョブを受付手段としての外部インターフェイス５２が受け付けるようになっている。また、ジョブをユーザ操作により表示操作部３１で受け付けてもかまわない。
【００７３】
ジョブ判断手段１０３の判断結果が省電力状態で実行可能なジョブであることを示すとき（ステップＳ１０５；Ｙ）、省電力状態を維持しつつジョブを実行する（ステップＳ１０６）。
【００７４】
省電力状態で実行するジョブには、ジョブデータ記憶部５５に記憶される親展印刷ジョブやタイマ指定印刷ジョブ、ボックス印刷ジョブ、機械の状態を問い合わせるだけのジョブなどがある。
【００７５】
このうち親展印刷ジョブやタイマ指定印刷ジョブ、ボックス印刷ジョブは、ジョブデータ記憶部５５に記憶されることでジョブ受け付け時の作業は終了する。また、機械の状態を問い合わせるだけのジョブは、その問い合わせに返答することで完了する（ステップＳ１０７）。
【００７６】
ジョブ判断手段１０３の判断結果が省電力状態で実行できないジョブであることを示すとき（ステップＳ１０５；Ｎ）、機械状態判断手段１０４は、受け付けたジョブを実行できる機械状態であるか否かを機械状態記憶部５６に記憶されている情報を調査して判断する（ステップＳ１０８）。
【００７７】
機械状態判断手段１０４が、ジョブを実行できない機械状態であると判断したときは（ステップＳ１０９；Ｎ）、このジョブを待機ジョブとしてジョブデータ記憶部５５に登録する（ステップＳ１１０）。ジョブはジョブデータ記憶部５５に登録されることで受け付け時の作業は終了する（ステップＳ１１１）。
【００７８】
機械状態判断手段１０４が、ジョブを実行できる機械状態であると判断したときは（ステップＳ１０９；Ｙ）、省電力状態切替制御手段１０５は省電力状態を解除する（ステップＳ１１２）。
【００７９】
その後、省電力状態の解除された通常状態でジョブが実行される（ステップＳ１１３）。ジョブが終了すると、省電力状態切替制御手段１０５は動作状態を通常状態から省電力状態に移行させる（ステップＳ１１４）。
【００８０】
図５は、ジョブデータ記憶部５５に記憶された格納ジョブを印刷する処理の流れを示している。省電力状態で実行された親展印刷ジョブやタイマ指定印刷ジョブ、ボックス印刷ジョブは、ジョブ受け付け時の作業においてジョブデータ記憶部５５に格納ジョブとして記憶されている。
【００８１】
このような格納ジョブに対して印刷指示があると（ステップＳ２０１；Ｙ）、省電力状態切替制御手段１０５は省電力状態を解除する（ステップＳ２０２）。その後、省電力状態の解除された通常状態で印刷処理が実行される（ステップＳ２０３）。
【００８２】
印刷指示は、表示操作部３１で受け付けたり、外部インターフェイス５２で受け付けたりするようになっている。また、タイマ指定印刷ジョブは、指定された時刻になると印刷指示があったものと同様に扱われる。
【００８３】
省電力状態を解除して実行したジョブが終了すると（ステップＳ２０４）、省電力状態切替制御手段１０５は動作状態を通常状態から省電力状態に移行させる（ステップＳ２０５）。
【００８４】
なお、ジョブを実行できない機械状態にあると省電力状態を解除してもジョブを実行できないので、省電力状態を解除する前にジョブを実行できる機械状態にあるか否かの判断を行なうようにするとよい。
【００８５】
特に、タイマ指定印刷ジョブは指定時刻になるとユーザ操作を伴わずに自働的に起動するので、省電力状態を解除せずに、ジョブを実行できる機械状態にあるか否かの判断を行なうようにするとよい。
【００８６】
さらに、ジョブを実行できない機械状態である場合、表示操作部３１で印刷指示を出した者に印刷不可である旨のメッセージを表示したり、外部装置４から印刷指示を出した者に印刷不可である旨のメッセージを通知したりするとよい。この場合、表示操作部３１だけに給電し、ＣＰＵ５１は通常よりも低速の状態のままで省電力状態を維持するようにするとよい。
【００８７】
また、ユーザ操作により印刷指示を受け付ける場合でも、表示操作部３１だけを対象に省電力状態を解除し、ＣＰＵ５１などその他の部分は省電力状態を維持したままで機械状態を調べるようにするとよい。
【００８８】
図６は、ジョブデータ記憶部５５に登録された待機ジョブを印刷する処理の流れを示している。印刷できる機械状態に復旧したことを機械状態判断手段１０４が検知すると（ステップＳ３０１；Ｙ）、省電力状態切替制御手段１０５は、省電力状態を解除する（ステップＳ３０２）。
【００８９】
省電力状態を解除して動作状態が省電力状態から通常状態に移行した状態で印刷処理が実行される（ステップＳ３０３）。その後、ジョブが終了すると（ステップＳ３０４）、省電力状態切替制御手段１０５は動作状態を通常状態から省電力状態に移行させる（ステップＳ３０５）。
【００９０】
図７は、省電力状態中にジョブを受け付けた際の動作の他の一例を示している。この処理は、ジョブの種類に基づいて省電力状態を解除するか否かを判断している。
【００９１】
画像形成装置１０に電源を入れると初期化処理が開始される（ステップＳ４０１）。初期化処理が終了し、待機状態から一定時間以上経過すると、電力消費を抑えた省電力状態に移行する（ステップＳ４０２）。
【００９２】
ジョブの依頼を受け付けると（ステップＳ４０３；Ｙ）、ジョブ判断手段１０３はジョブの設定情報を解析し、このジョブが省電力状態で実行可能なジョブであるか否かを判断する（ステップＳ４０４）。
【００９３】
ジョブ判断手段１０３の判断結果が省電力状態で実行可能なジョブであることを示すときは（ステップＳ４０５；Ｙ）、省電力状態を維持しつつジョブを実行する（ステップＳ４０６、Ｓ４０７）。
【００９４】
ジョブ判断手段１０３の判断結果が省電力状態で実行できないジョブであることを示すときは（ステップＳ４０５；Ｎ）、省電力状態切替制御手段１０５は省電力状態を解除して（ステップＳ４０８）、ジョブを実行する（ステップＳ４０９）。ジョブが終了すると、省電力状態切替制御手段１０５は動作状態を通常状態から省電力状態に移行させる（ステップＳ４１０）。
【００９５】
なお、省電力状態を解除した後に機械状態を調査し、ジョブを実行できないときは、その時点で省電力状態に移行するようになっている。
【００９６】
図８は、省電力状態中にジョブを受け付けた際の動作の他の一例を示している。この処理は、ジョブの種類にかかわらず機械状態のみに基づいて省電力状態を解除するか否かを判断している。
【００９７】
画像形成装置１０に電源を入れると初期化処理が開始される（ステップＳ５０１）。初期化処理が終了し、待機状態から一定時間以上経過すると、電力消費を抑えた省電力状態に移行する（ステップＳ５０２）。
【００９８】
ジョブの依頼を受け付けると（ステップＳ５０３；Ｙ）、このジョブを実行できる機械状態であるか否かを機械状態判断手段１０４が判断し、ジョブを実行できないときは（ステップＳ５０４；Ｎ）、省電力状態を維持しつつ、ジョブを待機ジョブとしてジョブデータ記憶部５５に記憶する（ステップＳ５０５）。待機ジョブとして記憶されるとジョブは一旦終了する（ステップＳ５０６）。
【００９９】
機械状態判断手段１０４の判断結果がジョブを実行できる機械状態であることを示すときは（ステップＳ５０４；Ｙ）、省電力状態を解除して（ステップＳ５０７）、ジョブを実行する（ステップＳ５０８）。ジョブが終了すると、省電力状態切替制御手段１０５は動作状態を通常状態から省電力状態に移行させる（ステップＳ５０９）。
【０１００】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、画像形成装置としてデジタル複合機を例に説明したが、複写機やプリンタ、ファクシミリ装置などであってもよい。
【０１０１】
また実施の形態では、省電力状態中は常にＣＰＵを低速に動作させるようにしたが、ジョブを受け付けるまではＣＰＵを停止させておき、ジョブの受け付けを契機にＣＰＵを起動して低速に動作させてもかまわない。
【０１０２】
実施の形態では、用紙切れや用紙ジャムなどジョブを実行できない機械状態が印刷ジョブにおいて発生する場合を例に説明したが、他の種類のジョブにおいてもそのジョブに関連する部分でジョブを実行できない機械状態は発生し得る。たとえば、メモリに画像を格納するジョブでは、メモリフルがジョブを実行できない機械状態に該当する。
【０１０３】
実施の形態では、受け付けたジョブが機械状態の不良が原因で実行できない場合にそのジョブを待機ジョブとしてジョブデータ記憶部５５に登録するようにしたが、ジョブの受け付けを拒否して省電力状態を維持するようにしてもよい。
【０１０４】
また、ジョブデータ記憶部５５や機械状態記憶部５６には不揮発で書き換え可能な半導体メモリのほか、ハードディスク装置（ＨＤＤ）などを使用してもよい。
【０１０５】
より一層の消費電力の低減を図るには、ＣＰＵの処理速度を通常よりも低速に動作させると同時に、他の周辺装置をＯＦＦするように構成するとよい。たとえば、ＣＰＵの処理速度が低速になるに伴い発熱量も低減するので、冷却ファンなどの動作も抑制するように構成するとよい。
【図面の簡単な説明】
【０１０６】
【図１】本発明の実施の形態に係わる画像形成装置の電気的構成を示すブロック図である。
【図２】本発明の実施の形態に係わる画像形成装置の断面構成を示す説明図である。
【図３】プリンタ記述言語の１つであるＰＣＬで記述されたジョブの一例を示す説明図である。
【図４】本発明の実施の形態に係わる画像形成装置が省電力状態中にジョブを受け付けた際の動作を示す流れ図である。
【図５】ジョブデータ記憶部に記憶された格納ジョブを実行する際の動作を示す流れ図である。
【図６】ジョブデータ記憶部に記憶された待機ジョブを実行する際の動作を示す流れ図である。
【図７】省電力状態中に受け付けたジョブの種類に基づいて省電力状態を解除するか否かを判断する動作を示す流れ図である。
【図８】省電力状態中に受け付けたジョブの種類にかかわらず機械状態のみに基づいて省電力状態を解除するか否かを判断する動作を示す流れ図である。
【符号の説明】
【０１０７】
２…原稿
３…ネットワーク
４…外部装置
１０…画像形成装置
２０…自動原稿送り装置
２１…原稿載置トレイ
３０…読取部
３１…表示操作部
４０…プリンタ部
４２…レーザーユニット
４３…感光体
４４…帯電装置
４５…現像装置
４６…転写装置
４７…分離装置
４８…クリーニング装置
５０…制御部
５１…ＣＰＵ
５２…外部インターフェイス
５３…ＲＯＭ
５４…ＲＡＭ
５５…ジョブデータ記憶部
５６…機械状態記憶部
５７…ビデオインターフェイス
６０…プリンタ制御部
７０…給紙部
７１…給紙カセット
７２…第１給紙ローラ
８０…搬送部
９０…後処理装置
１０１…ジョブ管理手段
１０２…画像変換部
１０３…ジョブ判断手段
１０４…機械状態判断手段
１０５…省電力状態切替制御手段
１０６…登録制御手段
【図１】
2005335255.tif 000003
【図２】
2005335255.tif 000004
【図３】
2005335255.tif 000005
【図４】
2005335255.tif 000006
【図５】
2005335255.tif 000007
【図６】
2005335255.tif 000008
【図７】
2005335255.tif 000009
【図８】
2005335255.tif 000010